(57)【要約】【課題】塗装剥離剤を使用せず、小さい塗装治具でも安全且つ確実に塗装を剥離する事ができる塗装治具と塗装治具の塗装剥離方法を提供することを目的とする。【解決手段】塗装治具１は、治具本体４が金属製の棒状部材で形成されており、治具本体４の両端部は内方向に折り曲げられ、被塗装部材２を引っかけて吊下支持する吊下支持部５が設けられている。また、治具本体４の中央部には、係合部である丸穴形状の係合穴６が曲げ形成によって設けられている。【選択図】　　　図１
2004074017.tif 000002
【特許請求の範囲】
【請求項１】
被塗装部材を吊下する塗装治具であって、
該塗装治具は、棒状部材によって形成された塗装治具本体と、
該塗装治具本体の両端部に設けられ、被塗装治具を吊下支持する吊下支持部と、
前記塗装治具本体の中央部に設けられ、複数の前記塗装治具を保持することが可能な治具保持部材に係合するための係合部とを備えた塗装治具。
【請求項２】
前記塗装治具の係合部が環形状であることを特徴とする請求項１の塗装治具。
【請求項３】
被塗装部材を吊下する塗装治具に設けられている係合部を、前記塗装治具を複数保持することが可能な治具保持部材に係合することで、該治具保持部材に前記塗装治具を保持させた後、前記治具保持部材と共に前記塗装治具にショットブラスト処理を行うことにより前記塗装治具表面の塗装を剥離する塗装治具の塗装剥離方法。
【発明の詳細な説明】
【０００１】
【発明の属する技術分野】
塗装工程で使用される塗装治具と塗装治具に付着した塗装を剥離する塗装剥離方法に関する。
【０００２】
【従来の技術】
被塗装部材を塗装する塗装工程において、被塗装部材を塗装するとき、塗装治具に被塗装部材を引っかけて塗装ラインに吊下支持した状態にし、その状態で塗装ラインを動作させて、被塗装部材を塗装しているが、被塗装部材に塗装を施すと塗装治具の表面にも塗装が付着し、塗装治具が太って、塗装治具の形状が変わってしまったり、通電不良によって塗装治具に吊下されている被塗装部材にうまく静電塗装が行えなくなってしまう。
【０００３】
しかし、塗装治具を使い捨てにすると莫大なコストがかかってしまうため、使用済み塗装治具の表面に付着している塗装を剥離して塗装治具を使用前の状態に戻し、再利用している。
【０００４】
そして、塗装治具の剥離方法として、従来は、被塗装部材から取り外した塗装治具をある程度の数にひとまとめにして、強酸性の塗装剥離剤に一定時間浸し、その後、塗装剥離剤から引き上げた塗装治具を水洗いし、乾燥させて塗装を剥離している。
【０００５】
また、比較的大きな形状の被塗装部材に関しては、ショットブラスト処理を行って表面の塗装を剥離する方法もある。
【０００６】
【発明が解決しようとする課題】
しかし、従来のような、塗装剥離剤を使用する方法では、塗装剥離剤は、取り扱いや保管が難しく、その上、塗装剥離剤に半日近く浸さなければならず、剥離後も洗浄や乾燥を行う必要があり、多大な時間を必要としていた。また、強酸性の塗装剥離剤を使用するので、塗装治具自身が錆び、強度も低下し、寿命も短くなっていた。
【０００７】
また、ショットブラスト処理によって、塗装治具のように小さな部材の塗装を剥離する場合は、ショットブラスト処理機内に塗装治具が飛び散ってしまうため、ショットブラスト処理の効果が薄く、うまく塗装を剥離することが出来なかった。
【０００８】
本発明は、塗装剥離剤を使用せず、小さい塗装治具でも安全且つ確実に塗装を剥離する事ができる塗装治具と塗装治具の塗装剥離方法を提供することを目的とする。
【０００９】
【課題を解決するための手段】
本願第一の発明は、被塗装部材を吊下する塗装治具であって、棒状部材によって形成された塗装治具本体と、該塗装治具本体の両端部に設けられ、被塗装治具を吊下支持する吊下支持部と、前記塗装治具本体の中央部に設けられ、複数の前記塗装治具を保持することが可能な治具保持部材に係合するための係合部とを備えた塗装治具であることを特徴とし、複数の塗装治具をまとめてショットブラスト処理することができ、短時間に大量の塗装治具の塗装を安全且つ確実に剥離できる。
【００１０】
本願第二の発明は、塗装治具の係合部が環形状であることを特徴とし、複数の塗装治具をまとめて治具保持部材に保持する際に容易に保持することができると共に、塗装治具の加工も容易でコストも低減できるため、より確実にショットブラスト処理を行うことができ、短時間に大量の塗装治具の塗装を安全且つ確実に剥離できる。
【００１１】
本願第三の発明は、被塗装部材を吊下する塗装治具に設けられている係合部を、前記塗装治具を複数保持することが可能な治具保持部材に係合することで、該治具保持部材に前記塗装治具を保持させた後、前記治具保持部材と共に前記塗装治具にショットブラスト処理を行うことにより前記塗装治具表面の塗装を剥離することを特徴とし、塗装治具に設けられている係合部を治具保持部材に係合させることで、治具保持部材に塗装治具を保持させ、治具保持部材と共に塗装治具をショットブラスト処理するので、短時間に大量の塗装治具の塗装を安全且つ確実に剥離できる。
【００１２】
【発明の実施の形態】
以下、本発明の実施の形態の一例を図面に基づいて説明する。
【００１３】
本発明が実施されている塗装治具１は、被塗装部材２を塗装する塗装工程で、被塗装部材２を引っかけて吊下支持するために使用される。
【００１４】
被塗装部材２は、塗装工程において塗装ラインのライン上部に設けられている塗装ハンガー３に引っかけられて吊下支持される。そして、塗装ラインによって搬送されながら塗装が行われる。
【００１５】
この時、複数の被塗装部材２に効率よく塗装を施すために、塗装ライン最上部の被塗装部材２の下部に塗装治具１の一方を引っかけ、さらに塗装治具１の他方に新たな被塗装部材２を引っかけるようになっている。これにより、１つの塗装ハンガー３に上下方向に複数の被塗装部材２が吊下支持され、複数の被塗装部材２がまとめて塗装されるようになっている。
【００１６】
塗装治具１は、治具本体４が金属製の棒状部材で形成されており、治具本体４の両端部は内方向に折り曲げられ、被塗装部材２を引っかけて吊下支持する吊下支持部５が設けられている。
【００１７】
また、治具本体４の中央部には、係合部である丸穴形状の係合穴６が曲げ形成によって設けられている。
【００１８】
そして、この係合穴６に後述の治具保持部材であるショットブラストハンガー７が係合することで、ショットブラストハンガー７に複数の塗装治具１を保持することができるようになっている。
【００１９】
治具保持部材であるショットブラストハンガー７は、ショットブラストハンガー７本体に、ショットブラスト処理機に取り付け収納するための取付部８と、治具係合部であり、塗装治具１の係合穴６に通して係合することで塗装治具１を保持する係合柱９とが設けられている。
【００２０】
係合柱９は、円柱形状で、塗装治具１の長さよりやや広い間隔でショットブラストハンガー７本体から上方に向かうように立設されている。
【００２１】
また、係合柱９は、ショットブラストハンガー７本体に複数設けられており、係合柱９の直径は塗装治具１の係合穴６の直径よりやや小さくなっている。
【００２２】
これにより、係合柱９には、塗装治具１の係合穴６をスムーズに通すことができる。そして、１つの係合柱９に複数の塗装治具１の係合穴６を通すことで、複数の塗装治具１を係合保持することができるようになっている。
【００２３】
ショットブラストハンガー７に設けられている係合柱９には、保持された塗装治具１が飛び出さないように、係合柱９上部に飛び出し防止部材１０が取り付けることができるようになっている。
【００２４】
飛び出し防止部材１０は、塗装治具１の係合穴６よりも径が大きく、塗装治具１が係合柱９の上部から抜け出てしまうのを防ぐことが出来る形状となっており、ショットブラストハンガー７の係合柱９上部に被せる形で装着されるようになっている。
【００２５】
尚、飛び出し防止部材１０は、ショットブラストハンガー７をショットブラスト処理する場合に塗装治具１が飛び出すことを防ぐことが出来るだけの重量を備え、保持されている塗装治具１を押さえつける錘とであっても良い。
【００２６】
これにより、複数の塗装治具１を保持したショットブラストハンガー７にショットブラスト処理を行って、塗装治具１が激しく動いたとしても、飛び出し防止部材１０によってショットブラストハンガー７から塗装治具１が飛び出すことを防ぐことができ、係合されている塗装治具１がショットブラスト処理機内部に散乱することなく効率的にショットブラスト処理を行うことが出来るようになっている。
【００２７】
被塗装部材２を塗装するため、塗装工程で使用された使用済みの塗装治具１には、被塗装部材２と同様に表面に塗装が施される。
【００２８】
この使用済み塗装治具１の表面に付着した塗装を剥離するため、使用済みの塗装治具１を複数個まとめてショットブラストハンガー７に保持させて、塗装治具１が保持されたショットブラストハンガー７と共に塗装治具１をショットブラスト処理機に収納し、ショットブラスト処理を行うことで、塗装治具１の表面の塗装を剥離し、再び塗装治具１を使用することが出来るようになっている。
【００２９】
これにより、塗装剥離剤を使用せず、１回のショットブラスト処理で大量の塗装治具１の塗装を安全で確実に剥離することができる。
【００３０】
以下、塗装剥離手順を説明する。
【００３１】
使用済み塗装治具１の塗装を剥離する手順は、最初に塗装工程で使用済みの塗装治具１を被塗装部材２から取り外す。
【００３２】
次に、取り外された塗装治具１の係合穴６をショットブラストハンガー７の係合柱９に通して係合させ、塗装治具１を保持させる。
【００３３】
そして、複数の使用済み塗装治具１をショットブラストハンガー７の係合柱９に係合保持させた後、係合柱９上部に飛び出し防止部材１０を取り付ける。
【００３４】
そして、ショットブラストハンガー７をショットブラスト処理機に取付収納し、ショットブラストハンガー７と共に使用済み塗装治具１にショットブラスト処理を行い、塗装治具１の表面の塗装を剥離する。
【００３５】
ショットブラスト処理が終了したら、ショットブラスト処理機からショットブラストハンガー７を取り出し、飛び出し防止部材１０をショットブラストハンガー７の係合柱９から取り外す。
【００３６】
そして、係合柱９から塗装治具１を抜き出して、塗装治具１の塗装剥離が終了する。
【００３７】
尚、本実施例では、塗装治具１の係合穴６の形状は丸穴の環形状であり、治具係合部は係合穴６の径よりやや小さい円柱形状としているが、この他にも係合穴６を角穴の環形状で、治具係合部を係合穴６の径よりやや小さい角柱形状としても良い。
【００３８】
【発明の効果】
以上の説明から、第一の発明によれば、治具保持部材に係合し、塗装治具を保持する係合部を塗装治具に設けたので、複数の塗装治具をまとめてショットブラスト処理することができ、短時間に大量の塗装治具の塗装を安全且つ確実に剥離できる。
【００３９】
第二の発明によれば、係合部が環形状であるため、複数の塗装治具をまとめて治具保持部材に保持する際に容易に保持することができると共に、塗装治具の加工も容易でコストも低減できるため、より確実にショットブラスト処理を行うことができ、短時間に大量の塗装治具の塗装を安全且つ確実に剥離できる。
【００４０】
第三の発明によれば、塗装治具に設けられている係合部を治具保持部材に係合させることで、治具保持部材に塗装治具を保持させ、治具保持部材と共に塗装治具をショットブラスト処理するので、短時間に大量の塗装治具の塗装を安全且つ確実に剥離できる。
【図面の簡単な説明】
【図１】本発明が実施されている塗装治具の正面図
【図２】本発明が実施されているショットブラストハンガーの正面図
【図３】塗装治具１が係合保持されたショットブラストハンガーの正面図
【図４】塗装工程に於ける塗装治具の使用例
【図５】従来の塗装治具の正面図
【符号の説明】
１　塗装治具
２　被塗装部材
３　塗装ハンガー
４　治具本体
５　吊下支持部
６　係合穴
７　ショットブラストハンガー
８　取付部
９　係合柱
１０　飛び出し防止部材
【図１】
2004074017.tif 000003
【図２】
2004074017.tif 000004
【図３】
2004074017.tif 000005
【図４】
2004074017.tif 000006
【図５】
2004074017.tif 000007